(57)【要約】【課題】本発明は、構造安定性、昇降安全性及び装飾性に優れた安全側板階段を提供するものである。【解決手段】蹴込み板１１と、該蹴込み板１１と直交するように取付け接合される踏み板１２と、蹴込み板１１を取付け固定するための側板１３と、少なくとも前記蹴込み板１１及び踏み板１２を支承するための力桁１４とにより構成する階段であって、前記蹴込み板１１は、その上端部において段鼻部１１１及び又は入隅部１１２を有することを特徴とする安全側板階段１である。【選択図】図１
2005002720.tif 000002
【特許請求の範囲】
【請求項１】
蹴込み板と、該蹴込み板と直交するように取付け接合される踏み板と、蹴込み板を取付け固定するための側板と、少なくとも前記蹴込み板及び踏み板を支承するための力桁とにより構成される階段であって、
前記蹴込み板は、その上端部において段鼻部及び又は入隅部を有し、下端部において踏板後方受け部を有することを特徴とする安全側桁階段。
【請求項２】
段鼻部は、上方表面に滑り止め用凹凸部を有することを特徴とする請求項１又は請求項２に記載の安全側板階段。
【請求項３】
段鼻部は、プレカット製品として予め木材加工したもの、寸法安定集成材として成形加工されたもののいずれかであることを特徴とする請求項１、請求項２又は請求項３記載の安全側板階段。
【請求項４】
寸法安定集成材は、木造建築廃棄物、木工端尺材のいずれかを有効利用して形成されたものであることを特徴とする請求項１、請求項２、請求項３又は請求項４に記載の安全側板階段。
【請求項５】
蹴込み板は、下方部において、略扁平三角形状、湾曲扁平状凹部の踏面を広げるための切り欠き部を有し、その下方部に踏板後方受け部を有することを特徴とする請求項１、請求項２、請求項３又は請求項４に記載の安全板階段。
【請求項６】
蹴込み板は側板に取付け接合され、踏み板は蹴込み板に凹凸嵌合接合されていることを特徴とする請求項１〜請求項５のいずれかに記載の安全側板階段。
【請求項７】
側板は、取付け接合に蟻継ぎ接合、凹凸サネ接合、腰掛け鎌継のいずれかにより強固接合されていることを特徴とする請求項１〜請求項６のいずれかに記載の安全側板階段。
【請求項８】
踏み板は、蹴込み板の段鼻部に凹凸サネ接合され、後方部は踏板後方受け部に支承されていることを特徴とする請求項１〜請求項７のいずれかに記載の安全側板階段。
【請求項９】
踏み板は、前方部及び後方部が吸着材等含有の接着剤を使用して貼着され、及び又は釘打ち等接合により取付け接合されていることを特徴とする請求項１〜請求項８のいずれかに記載の安全側板階段。
【請求項１０】
側板は、開き止めボルトを使用して取付固定されていることを特徴とする請求項１〜請求項９のいずれかに記載の安全側板階段。
【発明の詳細な説明】
【０００１】
【発明の属する技術分野】
本発明は、構造安定性、昇降安全性及び装飾性に優れた階段用蹴込み板及びその取付構造に関するものである。
【０００２】
【従来の技術】
従来の階段９は、図７に示すごとく、一般に踏み板９１に蹴込み板９２が直交するように、凹凸嵌合接合９３を介在して取付け接合されている。
【０００３】
そして踏み板９１は、その先端部において、段鼻部９１１を有している。この段鼻部９１１には、滑り止め凹部９１０が形成されている。なお、力桁９６には、受け台９５が取付けられている。
【０００４】
他方、前記滑り止め凹部９１０に代えて、図８に示すごとく、ノンスリップ材と称する滑り止め用凹凸部９４を取付け固定する場合もある。
【０００５】
また、図９に示すごとく、踏み板９１と蹴込み板９２との上方取付け接合近傍には、入隅材８０が取付け固定されている。
【０００６】
これは、図１１に示すごとく、従来の階段９は、踏み板９１が蹴込み板９２よりも前方に突出した突出端部９１１を有しているため、この突出端部９１２に足先８が当接し転倒の原因を生じる。そのため、図１０に示すごとく、前述のごとく、入隅材８を取付け固定して、足先の当接を防止し、特に昇段時の安全を図ることが出来ることになる。なお、段鼻部９１１には、滑り止め凹部９１３が形成されている。
【０００７】
特許文献１によれば、「仮設兼用階段」に係る発明として、上記のごとく、踏み板９１の突出端部９１１に関する取付け固定９が図１に開示されている。
【０００８】
一方、本出願人は、先に「安全踏板階段」を特許文献３により提案している。また、「床鳴り消音階段」に係る発明を特許文献４により提案している。
【０００９】
そして、「階段用入隅材及びその取付構造」に関する発明を特許文献５により提案している。
【００１０】
【発明が解決しようとする課題】
しかしながら、上記特許文献１及び特許文献２に開示された発明に係る階段９９は、踏み板９１が突出端部９１２を有しており、図１１に示すごとく、足先がつまずき転倒し易い問題点がある。そして、図８に示すごとく、ノンスリップ材としての滑り止め用凹凸部９４を取付け固定する作業は煩わしく、繁雑である。
【００１１】
一方、特許文献２に記載の発明に係る階段９は、蹴込み板９２の板厚さが比較的薄いため、その目的である床鳴りやキシミ音の発生を防止することが十分でないことが推察される。
【００１２】
また、特許文献１によれば、踏み板９１の踏面を拡大するものではない。
【００１３】
そして、特許文献３〜特許文献５に係る発明は、本発明と共通する目的、例えば階段９の昇降時の安全性確保、床鳴り発生防止、昇段時の足先の当接防止などの課題である。
【００１４】
しかしながら、その目的達成手段がそれぞれ異なっており、また本発明のごとく、特に蹴込み板１１の構成を異にするものではない。
【００１５】
【特許文献】
特開２０００−２１３１３２号公報
【特許文献】
特開平１１−３５０６９１号公報
【特許文献】
特願２００２−３２７９７２号
【特許文献】
特願２００３−０３３３６４号
【００１６】
【特許文献】
特願２００３−０５５４９号
本発明は、上記問題点に鑑みてなされたものであって、階段９の昇降時における安全性を十分確すると共に、階段の構造を強固なものとし、更には施工時の省力化や作業の迅速化を図り、装飾性をも向上させる階段用蹴込み板を提供しようとするものである。
【００１７】
【課題を解決するための手段】
そこで本発明は、前記従来技術の課題を解決するため下記の通りの請求項１〜請求項１０に記載の発明を採用するものである。
【００１８】
なお、本発明を具体的に説明するため、実施例において使用する図面の符号を付して説明する。
【００１９】
請求項１に記載の発明が採った手段は、蹴込み板１１と、該蹴込み板１１と直交するように取付け接合される踏み板１２と、蹴込み板１１を取付け固定するための側板１３と、少なくとも前記蹴込み板１１及び踏み板を支承するための力桁１４とにより構成される階段９であって、
前記蹴込み板１１は、その上端部において段鼻部１１１及び又は入隅部１１２を有し、下端部において踏板後方受け部１１５することを特徴とする安全側板階段１１を提供するものである。
【００２０】
これにより、構造安定性、昇降安全性及び装飾性に優れた階段用蹴込み板を使用した階段を得ることが出来る。
【００２１】
次に請求項２に記載の発明が採った手段は、段鼻部１１１その上方表面に滑り止め用凹凸部１１０有することを特徴とする安全側板階段１１を提供するものである。
【００２２】
これにより、従来の階段９のごとく、ノンスリップ材としての滑り止め用凹凸部９４を施工時に取付け固定する必要がなく、省力化及び作業の迅速化を図り、作業性を向上させた階段用蹴込み板１１を使用した安全側板階段１を提供することが出来る。
【００２３】
そして、請求項３に記載の発明が採った手段は、段鼻部１１１は、プレカット製品として予め木工加工品したもの、寸法安定集成材として成形加工されたものであることを特徴とする階段用蹴込み板１１を使用した安全側板階段を提供することが出来る。これにより、段鼻部１１１を現場加工したり、ノンスリップ材としての滑り止め用凹凸部９１０を釘打ち等による取付け固定する必要がなく、作業性を向上させることができる。
【００２４】
次に、請求項４に記載の発明が採った手段は、寸法安定集成材は、木造建築廃棄物、木工端尺材のいずれかであることを特徴とする階段用蹴込み板１を使用した安全側板階段１を提供するものである。
【００２５】
これにより、寸法安定性や諸物理的特性に優れ、反りやねじれなどの少ない、高精度でかつ丈夫な構造の安全側板階段１を得ることが出来る。
【００２６】
また、請求項５に記載の発明が採った手段は、下方部において、略扁平三角形状、湾曲扁平状凹部の踏面（踏み板の面積）を広げるための切り欠き部１１４を有し、その下方部に踏板後方受け部を有することを特徴とする階段用蹴込み板１１を使用した安全側板階段１を提供するものである。
【００２７】
これにより、踏面（踏み板の踏む面積）を拡大して、特に昇段時において、足を踏み外して転倒することがない。
【００２８】
一方、請求項６に記載の発明が採った手段は、蹴込み板１１は側板１３に取付け接合され、踏み板１２は蹴込み板１１に凹凸嵌合接合されることを特徴とする階段用蹴込み板１１を使用した安全側板階段１を提供するものである。
【００２９】
これにより、階段を組み立てるに当たって、作業性が向上すると共に、蹴込み板１１と踏み板１２との凹凸嵌合接合が強固となり、丈夫な構造の安全側板階段１を得ることが出来る。
【００３０】
次に、請求項７に記載の発明が採った手段は、側板１３は、取付け接合に蟻継ぎ接合、凹凸サネ接合、腰掛け鎌継のいずれかにより強固接合されていることを特徴とする階段用蹴込み板１１を使用した安全側板階段１を提供するものである。
【００３１】
これにより、凹凸嵌合接合のうち蟻継ぎ接合及び腰掛け鎌継は、引き抜き力に対する耐久力が最大に発揮され、一方凹凸サネ接合は比較的簡単に形成することが出来る。
【００３２】
また、請求項８に記載された発明が採った手段は、踏み板１２は、蹴込み板１１の段鼻部１１１に凹凸サネ接合され、後方部は踏み板後方受け部１１５に支承されていることを特徴とする階段用蹴込み板１１を使用する安全側板階段１を提供するものである。
【００３３】
これにより、蹴込み板１１と踏み板１２との凹凸嵌合接合が強固となり、反りやねじれなどの歪みが生じること少ない安全側板階段１を得ることが出来る。
【００３４】
そして、請求項９に記載の発明が採った手段は、踏み板１２は、吸着材等含有の接着剤を使用し、及び又は釘打ち等接合により取付け接合されていることを特徴とする安全側板階段１１を提供するものである。
【００３５】
これにより、寸法精度が優れ、かつ反りやねじれの発生による歪みの少ない安全側板階段１を得ることが出来る。
【００３６】
また、請求項１０に記載の発明が採った手段は、側板１３は、開き止めボルト２２を使用して取付固定されていることを特徴とする安全側板階段１を提供するものである。これにより、側板１３、１３同士が強固に取付け固定されると共に、蹴込み板１１と踏み板１２との凹凸嵌合接合をも補強して、強固接合の安全側板階段１を得ることが出来る。
【００３７】
【発明の実施の形態】
本発明の実施の形態につき、請求項１〜請求項１０及び実施例１〜２に対応させながら、特に実施例で使用する図面に基づいて、本発明の各種態様を具体的に説明する。
【００３８】
まず、図３は、本発明に係る安全側板階段１の主要部の断面図であり、実施例１に係る階段用蹴込み板１１の一実施態様である。
【００３９】
ここで図１は、実施例１における蹴込み板１１と踏み板１２との凹凸嵌合接合の状態を示す一部斜視図である。
【００４０】
ここで注目すべきことは、蹴込み板１１は、その上端部において、段鼻部１１１及び又は入隅部１１２を有することである。
【００４１】
したがって、蹴込み板１１は図１に示すごとく、上記段鼻部１１１とこれに下方に連なる入隅部１１２を有する態様と、図５及び実施例２に示すごとく、蹴込み板１１は段鼻部１１１に連なる入隅部１１２がなく、滑らかな曲線形状に本体に連なって形成されている態様とがある。そのため、段鼻部１１１及び又は入隅部１１２と記載されているのである。
【００４２】
また、図１及び図５に示すごとく、また実施例１及び実施例２に記載されているごとく、踏み板１２を蹴込み板１１に凹凸嵌合接合するに当たっては、吸着材等含有の接着剤の他に、釘やその他の接合金具を使用する態様と、釘やその他の接合金具を使用しない態様とがある。これは、凹凸嵌合接合の態様が段鼻部１１１に形成された嵌合凹部１１１０内に踏み板１２の嵌合凸部１２２を凹凸嵌合接合する態様（図１参照）と、蹴込み板１１の上方かつ後方平滑部に形成された嵌合凸部を踏み板１２の嵌合凹部１２３内に凹凸嵌合接合する態様とがあるからである。
【００４３】
つまり、請求項９の記載に示すごとく、「吸着材等含有の接着剤及び又は釘打ち等接合により取付け接合されている」とは、これらのことを意味するものである。
【００４４】
図１に示す態様においては吸着材等含有の接着剤の他に釘打ち等接合を併用した方がより強固に蹴込み板１１と踏み板１２とを釘打ち等接合できるのに対し、図５に示す態様においては、吸着材等含有の接着剤の他に釘打ち等接合を併用しないことが、釘打ち等接合の亀裂などを生じさせないため、好ましいからである。
【００４５】
次に、図２は、側板１３が斜めに配置された状態を示す斜視図であって、一方が浅く他方が深い蟻掛け満１４１と両方とも略同一の深さの蟻掛け満１４２を形成した状態を示すものである。側板１３上に蹴込み板１１を垂直にかつ強固に立設するに当たっては、前者の蟻掛け満１４１が有利な場合が多いからである。したがって、後述のごとく、実施例１においては、前者の蟻掛け満１４１を介して側板１３上に蹴込み板１１を略垂直に立設することとしている。垂直方向に対して圧縮される力が大きくなるからである。
【００４６】
他方、実施例２及び図６に示すごとく、蹴込み板１１を側板１３に立設して取付け固定するに当たっては、一対の側板１３、１３の内部側、即ち２本の側板１３、１３が相互に相向う側において、まず、側板１３に蟻掛け凹部１４１を形成しておき、これに蹴込み板１１の下方両端部に形成された蟻掛け凸部１１５を凹凸嵌合接合する。これにより、上記のごとき蟻継ぎ接合は、蟻と呼ばれる逆台形上の柄を加工した蹴込み板１１を側板１３に形成した蟻掛け凹部１４１内に嵌め込んで接合されているため、引き抜きの力に対して強力に耐えられる強固接合を形成することになるからである。
【００４７】
次に、図４は、実施例１及び実施例２において採用する安全側板階段１の組み立て手順及びこれによって得られる安全側板階段１の形成を示すフローチャート図である。
【００４８】
ここで注目すべきことは、本発明の方法（図４の左側参照）が従来の工法（図４の右側参照）と比較して、蹴込み板１１の取付けと踏み板１２の取付けの手順が逆になっていることである。これは、本発明に係る安全側板階段１の強固な構造と密接に関係する。
【００４９】
即ち、従来の工法は、側板１３に形成した大入れ踏み板１２挿入溝（図示略）内に、まず踏み板９１をくさび等に用いて取付け施工するに対し、本発明においては、まず側板１３に図２及び図６に示すごとく、蟻掛け嵌合凹部を形成した後、これに蹴込み板１１に形成した蟻掛け凸部１１４を嵌め込み接合することが肝要となる。
【００５０】
また、本発明に係る階段用蹴込み板には、請求項１の記載に示すごとく、蹴込み板１１の上端部において段鼻部１１１及び又は入隅部１１２を有するため、従来工法のごとく、ノンスリップ材の取付け（図４の右側の（７））及び入隅材の取付け（同（８））が省略することが出来る利点がある。これは、本発明に係る階段用蹴込み板としての蹴込み板１１がプレカット製品などの予め木工加工品として形成されている態様（請求項３参照）により、現場における階段９組付けの作業性向上を図ることが出来る。
【００５１】
一方、図４の左側下段に示すごとく、本発明に係る安全側板階段１においては、（６）補強剤の取付け、（７）開き止め部材の取付け（請求項１０参照）、（８）手すりの取付けにより、強固な構造にして、かつ装装性に優れた効果を発揮することができる。
【００５２】
そして、更に注目すべきことは、請求項４に記載されている発明の場合にあっては、木造建築廃棄物、木工端尺材を有効利用することが出来るため、資源の有効利用としての循環型社会に適応できる。
【００５３】
特に木造建築廃棄物や木工端尺材として、ブナやケヤキのごとく、広葉樹木や落葉樹木のごとく、針葉樹木に比較して硬度や諸強度が強い堅牢木材を使用した寸法安定集成材を蹴込み板１１、踏み板１２、側板１３に使用することが好ましい。
【００５４】
また、実施例１に示すごとく、上記寸法安定集成材をサンドイッチ構造により形成したランバー合板を踏み板１２に使用することにより、寸法安定性や諸物理特性に優れた安全側板階段１を得ることが出来る。
【００５５】
これは、寸法安定集成材が木材繊維方向が多方向に配列されており、寸法変化率が小さくなる反面、衝撃強度や引張り強度が優れているからである。
【００５６】
他方、請求項９に記載の発明においては、吸着材等含有の接着剤を使用することとしている。これは、例えば活性炭や活性白土の徴粉又はベントナイトやゼオライトの徴粉などの吸着剤を混入した接着剤を使用するものである。これにより、蹴込み板１１や踏み板１２に空気中の水分が含有される状態にあっても、吸着材等含有の接着剤により水分を吸収して、蹴込み板１１や踏み板１２の反りやねじれなどの歪みの発生を防止することが出来る。また、上記吸湿剤の他に銅粉等の導電性物質の微料を混入することにより、蹴込み板１１や踏み板１２の凹凸嵌合接合における熱の移動を防止することも出来る。蹴込み板１１や踏み板１２の反りやねじれは、水分や熱の移動により生じ易いからである。
【００５７】
そのため、請求項９の記載においては、吸着材等含有の接着剤は吸着剤や導電性物質を含有する他に、界面活性剤や接着剤硬化促進剤などを含有するものであることを意味する。
【００５８】
このように、吸着材等含有の接着剤に各種物質を混入させる目的は、記載２及び図５に示すごとく、釘打ち等接合を吸着材等含有の接着剤と併用しない態様においても蹴込み板１１と踏み板１２とを強力な凹凸嵌合接合することが出来るからである。
【００５９】
他方、請求項５の記載に示すごとく、蹴込み板１１は下方部において、例えば断面形状が緩やかな湾曲凹部や略三角形状の切り欠き部１１４（図１、図３参照）を有することが好ましい。
【００６０】
これにより、図３に示すごとく、踏み板１２の踏面を拡大することにより、特に昇段時における不都合（図１１参照）を解消して、入隅部１１２を有する蹴込み板１１の態様との併用による足先きの踏み板１２当接防止を相乗効果として発揮することが出来る。
【００６１】
また、上記相乗効果に加えて、本発明に係る階段用蹴込み板の最大の特徴である蹴込み板１１の上端部において、足先が踏み板１２に当接することを防止することが出来る。これは、段鼻部１１１は、日本工業規格などにおいて、大きさが規制（出鼻寸法は３０ミリメートル）されていることにもよる。
【００６２】
以上説明したごとく、本発明の実施の形態については、各種の態様が含まれているため、構造安定性、昇降安定性及び装飾性に優れた階段用蹴込み板及びその取付構造を提供することが出来るばかりでなく、蹴込み板１１と踏み板１２との強固接合により、強固な構造の安全側板階段１を提供し、吸音遮音性、寸法安定性、階段の昇降時における安全性を向上させることが出来る。
【００６３】
以下に、本発明の好ましい実施例１及び実施例２について、図１〜図６を用いて具体的に説明する。なお、これらの実施例は、本発明の一実施態様であって、本発明の技術的範囲は、実施例に拘束されるものではなく、更に変形や改良も可能である。
（実施例１）
本例は、図１〜図４に示すごとく、蹴込み板１１の上端部において、段鼻部１１１及び入隅部１１２を有すると共に、下方部において踏面（ふみづら）を広げるための切り欠き部１１４を有する階段用蹴込み板を提供するものである。
【００６４】
まず、図１に示すごとく、段鼻部１１１は緩やかな湾曲面を有すると共に、その下方において入隅部１１２と緩らからに連なった形状をしている。また、段鼻部１１１の頭部においては、滑り止め用凹凸部１１０を多数有している。
【００６５】
そのため、従来のノンスリップ材としての機能を発揮すると共に、入隅材としての両機能を発揮することが出来る。
【００６６】
したがって、従来の階段９９のごとく、ノンスリップ材９４（図８参照）を取付け固定する必要もなく、また入隅材８（図９参照）を取付け固定する必要がない。
【００６７】
これにより、安全側板階段１を組み付け施工するに当たって、図４に示すごとく、本発明は従来工法（図４参照）に比較して現場施工を迅速容易に行うことが出来るため、作業性を向上することが出来る。これは、蹴込み板１１が請求項３に記載のごとく、プレカット製品としての予め木工加工品又は寸法安定集成材としての成形加工の各種の様態を採用し得るからである。
【００６８】
また、蹴込み板１１は、通常の蹴込み板よりも板厚さを２〜３割増大させて、下方部において、扁平湾曲状の断面形状からなる切り欠き部１１４を有する。これにより、図３に示すごとく、踏み板１２は切り欠き部１１４のスペース分だけ踏面、即ち踏み板１２を足で踏む面積を拡げることが出来る。そのため、特に昇降時において踏み板１２を踏み外すことがなく、安全に階段９を昇ることが出来る。そのため、本例によれば、階段の昇段時における安全性を向上させることが出来ると共に、一定のスペースにおいて踏み板１２の段数を増加させたり、階段９の勾配を緩やかにすることが出来る。
【００６９】
これにより、老人や子供にやさしい安全側板階段１を提供し、安全性を確保することが出来る。
【００７０】
一方、蹴込み板１１は、図１に示すごとく、内側においても内部入隅材１１３を有する。これにより、踏み板１２を載置する面積をも拡大することが出来るため、請求項９に記載のごとく、吸着材等含有の接着剤の使用及び釘３などの接合具を併用して強固な凹凸嵌合接合を形成することが出来る。
【００７１】
また、上記段鼻部１１１の後方側に形成したサネ凹部１１１０内に、踏み板１２の先端部に形成したサネ凸部１１２を嵌め込んで凹凸嵌合接合してある。そのため、比較的狭いスペースにおいて、強固な凹凸嵌合接合を行うことが出来る。
【００７２】
そして、上記蹴込み板１１及び踏み板１２は、木材繊維方向が多方向に配列した寸法安定集成材及び又はこの寸法安定集成材をサンドイッチ構造により構成したランバー合板を使用する。
【００７３】
特に、寸法安定集成材を使用する場合にあっては、蹴込み板１１の積層接着の加圧成形時において、前記段鼻部１１１をも一体成形することも出来る。これにより、段鼻部１１１の取付け固定作業を省くことが出来ると共に、強固な段鼻部１１１を形成することが出来る。
【００７４】
そして、蹴込み板１１と踏み板１２との凹凸嵌合接合に当たっては、請求項９に記載の吸着材等含有の接着剤を使用してある。そのため、蹴込み板１１と踏み板１２との凹凸嵌合接合部においては、反りやねじれなどの歪みを生じることがなく、また寸法安定性や諸物理特性、例えば圧縮強度や引張り硬度などに優れる。そのため、強固な構造を有する安全側板階段１を得ることが出来る。
【００７５】
一方、図２に示すごとく、蹴込み板１１を側板１３に立設するに当たっては、蟻掛け凹部１４１を形成し、この凹部内に蹴込み板１１の下端部に形成した蟻掛け凸部（図示略）を嵌め込んで蟻継ぎ接合を行う。そのため、蹴込み板１１と側板１３とは、強固接合を形成し、強固な構造の安全側板階段１を提供することが出来る。
【００７６】
また、図３及び図４（７）に示すごとく、上記側板１３、１３は２本一対に使用し、その間を開き止めボルト２２を取付け固定する。これにより、２本の側板１３、１３は、強固接合されると共に、蹴込み板１１と踏み板１２との強固な凹凸嵌合接合を容易に確保することが出来る。そのため、本例によれば、構造安定性、昇降安定性、装飾性などに優れた安全側板階段１を提供することが出来る。
【００７７】
そして、図４に示すごとく、従来の工法（右側）に比較して、本発明の方法は、蹴込み板１１をまず側板１３に立設し、この蹴込み板１１に踏み板１２を前述の通り凹凸嵌合接合（図１参照）する。また、従来の工法のごとく、ノンスリップ材９４の取付け（図８）や入隅材の取付け（図９）を、側板１３１３に蹴込み板１１を立設する作業により同時に行うことが出来る。そのため、作業能率性に優れた安全側板階段１を得ることが出来る。
（実施例２）
本例は、図５及び図６に示すごとく、蹴込み板１１の上端部において、段鼻部１１１を有し、特に入隅部１１２は形成されていない階段用蹴込み板及びその取付構造を提供するものである。これは、段鼻部１１１が緩やかな斜傾により本体部と一体成形されているため、特に入隅材１１２（図１参照）を取付け固定する必要がないからである。
【００７８】
しかしながら、入隅材を取付け固定したと同様に、蹴込み板１１と踏み板１２との前面上部における補強効果、装飾効果、吸音遮音効果は、実施例１において示したごとく、通常の蹴込み板１１よりも板厚さを２〜３割増大させているため、従来の蹴込み板９２（図７参照）よりも板厚さを増大させた割合に比例して増大する。
【００７９】
また、図６に示すごとく、２本の側板１３、１３の間においては、蹴込み板１１と側板１３とが蟻継ぎ接合されている。つまり、蹴込み板１１の両端部に形成された蟻掛け凹部１４３とが相互に嵌め合わされて、蟻継ぎ接合を形成している。そのため、蹴込み板１１は内側に引き抜く力に対して強固接合されている。これにより、実施例１のごとく、開き止めボルト２２を用いて補強する必要はない。
【００８０】
その他の構成は、実施例１と同様の構成とした。
したがって、本例は、実施例１と比較して開き止めボルト２２の使用を必要とすることなく、また蹴込み板１１と踏み板１２との凹凸嵌合接合に当たっては、釘打ち等接合を必要としない。そのため、蟻継ぎ接合の組み立て作業性を向上させることが出来る。
【００８１】
【発明の効果】
本発明は、請求項１〜請求項１０に記載された発明により構成されているため、下記に示すような諸々の効果を奏するものである。
【００８２】
まず、請求項１に記載された発明によれば、構造安定性、昇降安全性及び装飾性に優れた階段用蹴込み板を提供することが出来る。
【００８３】
そして、請求項２に記載された発明によれば、従来の階段９のごとく、ノンスリップ材としての滑り止め用凹凸部９１０を施工時に取付け固定する必要がなく、省力化及び作業の迅速化を図り、作業能率向上させることが出来る。
【００８４】
次に、請求項３に記載された発明によれば、段鼻部１１１を現場加工したり、ノンスリップ材としての滑り止め用凹凸部９４（図８参照）を取付け固定する必要がなく、作業性を向上させることが出来る。
【００８５】
また、請求項４に記載された発明によれば、寸法安全性や諸物理特性に優れ、反りやねじれなどの少ない高精度でかつ丈夫な構造の安全側板階段１を得ることが出来る。
【００８６】
そして、請求項５に記載された発明によれば、踏み板１２を足で踏む面積としての踏面を拡大して、特に昇段時において、足を踏み外して転倒することがない。
【００８７】
請求項６に記載された発明によれば、階段を組み立てるに当たって、作業性が向上すると共に、蹴込み板１１と踏み板１２との凹凸嵌合接合が強固となり、丈夫な構造の安全側板階段１を得ることが出来る。
【００８８】
また、請求項７に記載された発明によれば、凹凸嵌合接合のうち蟻継ぎ接合及び腰掛け鎌継は、引き抜き力に対して耐久力が最大に発揮され、一方凹凸サネ接合は比較的簡単に形成することが出来る。
【００８９】
請求項８に記載された発明によれば、蹴込み板１１と踏み板１２との凹凸嵌合接合が強固となり、反りやねじれなどの歪が生じるとこが少なくない安全側板階段１を得ることが出来る。
【００９０】
また、請求項９に記載された発明によれば、寸法精度が優れ、かつ反りやねじれの発生による歪みの少ない安全側板階段１を得ることが出来る。
【００９１】
そして、請求項１０に記載された発明によれば、側板１３、１３同士が強固に取付け固定されると共に、蹴込み板１１と踏み板１２との凹凸嵌合接合をも補強して、強固接合の安全側板階段１を得ることが出来る。
【００９２】
以上のごとく、本発明によれば、構造安定性、昇降安全性、装飾性及び作業能率性に優れた階段用蹴込み板を使用した安全側板階段１及びその取付構造を提供することが出来る。
【図面の簡単な説明】
【図１】本発明の実施例１に係る蹴込み板と踏み板との凹凸嵌合接合状態を示す一部斜視図である。
【図２】本発明の実施例１において使用する側板の斜傾状態におけて蹴込み板を立設するための凹部を設けた一部斜視図である。
【図３】本発明の実施例１により得られる安全側板階段の一部断面図である。
【図４】本発明の実施例１に係る安産側板階の組立て手順を従来の工法と比較したフローチャート図である。
【図５】本発明の実施例２に係る蹴込み板と踏み板との凹凸嵌合接合状態を示す一部斜視図である。
【図６】本発明の実施例２において使用する蹴込み板を側板に取付け固定した状態を示す一部平面図である。
【図７】従来の階段の取付け状態を示す中央部近傍の一部断面図である。
【図８】従来の階段におけるノンスリップ材を取付け固定した状態を示す一部斜視図である。
【図９】特許文献５に係る入隅材を取付け固定した状態を示す一部斜傾図である。
【図１０】特許文献５に係る入隅材を取付け固定した効果を説明するための一部斜傾図である。
【図１１】従来の階段における突出踏み板に足先が当接する状態の問題点を説明する一部側面図である。
【符号の説明】
１      安全側板階段
１１    蹴込み板
１１０    滑り止め用凹凸部
１１１    段鼻部
１１２    入隅部
１１４    切り欠き部
１２    踏み板
１３    側板
【図１】
2005002720.tif 000003
【図２】
2005002720.tif 000004
【図３】
2005002720.tif 000005
【図４】
2005002720.tif 000006
【図５】
2005002720.tif 000007
【図６】
2005002720.tif 000008
【図７】
2005002720.tif 000009
【図８】
2005002720.tif 000010
【図９】
2005002720.tif 000011
【図１０】
2005002720.tif 000012
【図１１】
2005002720.tif 000013